(57)【要約】      （修正有）【課題】使用方法が比較的簡単でありさらには／あるいはあまり複雑でないタッチ画面対応の車両用表示装置を提供する。【解決手段】表示装置１０４のコントローラ１０８は、表示画面の所定部分に触れた指の本数と、表示画面の所定部分から遠ざかる該本数の指の移動の方向および距離と、を検出するタッチ検出部１１８を備える。コントローラのナビゲーションモード判定部１２０は、検出された指の本数にもとづいてナビゲーションモードを決定する。コントローラのナビゲーション特徴判定部１２２は、検出された該本数の指の移動の方向および距離にもとづいてナビゲーション方向およびナビゲーション速度を決定する。コントローラの画像ナビゲーションコントローラ１２４は、決定されたナビゲーションモードと決定されたナビゲーション方向と決定されたナビゲーション速度とに従って、表示画面上に表示された画像をナビゲートするように表示装置を制御する。【選択図】図２
2014182808.tif 000002
【特許請求の範囲】
【請求項１】
画像を表示画面上に表示するとともにタッチスクリーンユーザインターフェースを提供する車両の表示装置のコントローラであって、
タッチ検出部と、
ナビゲーションモード判定部と、
ナビゲーション特徴判定部と、
画像ナビゲーションコントローラと、
を備えており、
前記タッチ検出部は、前記表示画面の所定部分に触れた指の本数と、前記本数の指の全てが前記表示画面の前記所定部分から遠ざかるように同じ方向に同時移動するときの前記同時移動の方向および距離と、を検出するように構成されており、
前記ナビゲーションモード判定部は、前記表示画面上に表示された画像をナビゲートするナビゲーションモードを決定するように構成されており、前記ナビゲーションモードは、前記表示画面の前記所定部分に触れたことを前記タッチ検出部によって検出された前記指の本数にもとづいて、複数の異なるナビゲーションモードのうちの１つとして決定されたモードであり、
前記ナビゲーション特徴判定部は、ナビゲーション方向とナビゲーション速度とを決定するように構成されており、前記ナビゲーション方向は、前記本数の指が前記表示画面の前記所定部分から遠ざかるように前記同じ方向に同時移動したときの前記同時移動の方向にもとづいて決定された方向であり、前記本数の指が前記表示画面の前記所定部分から遠ざかるように前記同じ方向に同時移動したことは前記タッチ検出部によって検出されており、前記ナビゲーション速度は、前記本数の指が前記表示画面の前記所定部分から遠ざかるように同じ方向に同時移動したときの前記同時移動の距離にもとづいて決定された速度であり、前記本数の指が前記表示画面の前記所定部分から遠ざかるように前記同じ方向に前記距離だけ同時移動したことは前記タッチ検出部によって検出されており、
前記画像ナビゲーションコントローラは、前記ナビゲーションモード判定部によって決定されたナビゲーションモードと、前記ナビゲーション特徴判定部によって決定されたナビゲーション方向と、前記ナビゲーション特徴判定部によって決定されたナビゲーション速度と、に従って、前記表示画面上に表示された画像をナビゲートするように前記車両の表示装置を制御するように構成されていることを特徴とするコントローラ。
【請求項２】
前記ナビゲーション特徴判定部は、前記本数の指が前記表示画面の前記所定部分から遠ざかるように前記同じ方向に同時移動したときの前記同時移動の距離が大きくなるにつれて前記ナビゲーション速度が大きくなるように前記ナビゲーション速度を決定するように構成されており、前記本数の指が前記表示画面の前記所定部分から遠ざかるように前記同じ方向に前記距離だけ同時移動したことは前記タッチ検出部によって検出されており、
前記ナビゲーション特徴判定部は、前記本数の指が前記表示画面の前記所定部分から遠ざかるように同時移動したときの前記同時移動の方向にもとづいて前記ナビゲーション方向を決定するように構成されており、前記本数の指が前記表示画面の前記所定部分から遠ざかるように前記方向に同時移動したことは前記タッチ検出部によって検出されている請求項１に記載のコントローラ。
【請求項３】
ナビゲーション速度参照コントローラを更に備えており、
前記ナビゲーション速度参照コントローラは、ナビゲーション速度参照マーカを前記画像に重なった状態で前記表示画面上に提示するように前記車両の表示装置を制御するように構成されており、
前記ナビゲーション速度参照マーカは、前記本数の指が前記表示画面の前記所定部分から遠ざかるように移動したときの移動距離および前記ナビゲーション速度が大きくなるにつれて前記ナビゲーション速度参照マーカが拡大するように、第１の端部と第２の端部とを有しており、前記第１の端部は、前記表示画面の前記所定部分に配置されており、前記第２の端部は、前記本数の指が前記表示画面の前記所定部分から遠ざかるように前記同じ方向に同時移動した後で前記表示画面に触れている前記本数の指の位置に対応する位置に配置されている請求項２に記載のコントローラ。
【請求項４】
凡例コントローラを更に備えており、
前記凡例コントローラは、前記表示画面上に複数の凡例のうちの１つを提示するように前記車両の表示装置を制御するように構成されており、
前記複数の凡例の各々は、前記複数の異なるナビゲーションモードのうちの一意の１つに関連付けられており、
前記凡例コントローラは、前記複数の凡例のうちの表示すべき１つが、前記ナビゲーションモード判定部によって決定されたナビゲーションモードに関連付けられた凡例であると決定し、
前記複数の凡例の各々は、前記本数の指の移動の方向に関連付けられたナビゲーション方向をユーザに示している請求項１に記載のコントローラ。
【請求項５】
グラフィックオーバーレイコントローラを更に備えており、
前記グラフィックオーバーレイコントローラは、前記表示画面の前記所定部分を囲むグラフィックオーバーレイを提示するように前記車両の表示装置を制御するように構成されており、
前記表示画面の前記所定部分は、前記表示画面上の不動の位置に設けられ、前記表示画面のうちの画像が表示される画像表示部よりも小さいサイズとされている請求項１に記載のコントローラ。
【請求項６】
前記表示画面上に表示される画像は地図である請求項１に記載のコントローラ。
【請求項７】
前記ナビゲーションモード判定部は、前記表示画面の前記所定部分に第１の本数の指が触れたことが前記タッチ検出部によって検出された場合に前記ナビゲーションモードをスクロールモードに決定し、前記表示画面の前記所定部分に前記第１の本数とは異なる第２の本数の指が触れたことが前記タッチ検出部によって検出された場合に前記ナビゲーションモードをズームモードに決定し、
前記ナビゲーションモード判定部が前記ナビゲーションモードを前記スクロールモードに決定した場合、前記ナビゲーション特徴判定部は、前記第１の本数の指が前記表示画面の前記所定部分から遠ざかるように移動するときの移動方向を前記ナビゲーション方向として決定し、前記ナビゲーション速度は、スクロール速度であるとともに、前記第１の本数の指が前記表示画面の前記所定部分から遠ざかるように移動するときの移動距離に比例するように決定され、
前記ナビゲーションモード判定部が前記ナビゲーションモードを前記ズームモードに決定した場合、前記ナビゲーション特徴判定部は、前記第２の本数の指が前記表示画面の前記所定部分から遠ざかる第１の方向に移動したことが検出されたとき、前記表示画面上に表示された画像が拡大されるズームイン方向を前記ナビゲーション方向として決定し、前記第２の本数の指が前記表示画面の前記所定部分から遠ざかる第２の方向に移動したことが検出されたとき、前記表示画面上に表示された画像が縮小されるズームアウト方向を前記ナビゲーション方向として決定し、前記第２の方向は前記第１の方向とは反対であり、前記ナビゲーション速度は、ズーム速度であるとともに、前記第２の本数の指が前記表示画面の前記所定部分から遠ざかるように移動するときの移動距離に比例するように決定される請求項１に記載のコントローラ。
【請求項８】
ナビゲーション速度参照コントローラを更に備えており、
前記ナビゲーション速度参照コントローラは、前記表示画面上にナビゲーション速度参照マーカを提示するように前記車両の表示装置を制御するように構成されており、
前記ナビゲーション速度参照マーカは、前記本数の指が前記表示画面の前記所定部分から遠ざかるように移動したときの距離および前記ナビゲーション速度が大きくなるにつれて、拡大するように、第１の端部と第２の端部とを有しており、前記第１の端部は、前記表示画面の前記所定部分に配置されており、前記第２の端部は、前記本数の指が前記表示画面の前記所定部分から遠ざかるように前記同じ方向に同時移動した後で前記表示画面に触れている前記本数の指の位置に対応する位置に配置されている請求項７に記載のコントローラ。
【請求項９】
凡例コントローラを更に備えており、
前記凡例コントローラは、前記ナビゲーションモード判定部によって決定された前記ナビゲーションモードが前記スクロールモードである場合に前記表示画面上にスクロールの凡例を提示し、前記ナビゲーションモード判定部によって決定された前記ナビゲーションモードが前記ズームモードである場合に前記表示画面上にズームの凡例を提示するように、前記車両の表示装置を制御するよう構成されており、
前記スクロールの凡例および前記ズームの凡例の各々は、前記本数の指の移動の方向に関連付けられたナビゲーション方向をユーザに知らせる請求項７に記載のコントローラ。
【請求項１０】
前記スクロールの凡例は複数の矢印であり、前記複数の矢印は、前記表示画面の前記所定部分を囲むとともに前記表示画面の前記所定部分から外方向へと向いており、前記複数の矢印のうちのいずれかの矢印の方向への前記第１の本数の指の移動が前記第１の本数の指の移動方向へのスクロールを指示することを示しており、
前記ズームの凡例は、前記表示画面の前記所定部分の第１の側に提供されたズームインアイコン及び前記表示画面の前記所定部分の第２の側に提供されたズームアウトアイコンであり、前記第２の側は前記第１の側とは反対であり、前記ズームの凡例は、前記第１の側および前記ズームインアイコンに向かう前記第１の方向への前記第２の本数の指の移動が画像のズームインを指示することを示しており、前記第２の側および前記ズームアウトアイコンに向かう前記第２の方向への前記第２の本数の指の移動が画像のズームアウトを指示することを示している請求項９に記載のコントローラ。
【請求項１１】
グラフィックオーバーレイコントローラを更に備えており、
前記グラフィックオーバーレイコントローラは、前記表示画面の前記所定部分を囲みかつ前記表示画面上に表示された画像に重ねられる形状を表示するように前記車両の表示装置を制御するように構成されており、
前記表示画面の前記所定部分は、前記表示画面上の不動の位置に設けられ、前記表示画面のうちの画像が表示される画像表示部よりも小さいサイズとされている請求項９に記載のコントローラ。
【請求項１２】
車両用の表示システムであって、
画像の表示およびタッチスクリーンユーザインターフェースの提供を行う表示画面を備えている表示装置と、
前記タッチスクリーンユーザインターフェースを制御するように構成されたコントローラと、
を備えており、
前記コントローラは、
タッチ検出部と、
ナビゲーションモード判定部と、
ナビゲーション特徴判定部と、
画像ナビゲーションコントローラと、
を備えており、
前記タッチ検出部は、前記表示画面の所定部分に触れた指の本数と、前記本数の指の全てが前記表示画面の前記所定部分から遠ざかるように同じ方向に同時移動するときの前記同時移動の方向および距離と、を検出するように構成されており、
前記ナビゲーションモード判定部は、前記表示画面上に表示された画像をナビゲートするナビゲーションモードを決定するように構成されており、前記ナビゲーションモードは、前記表示画面の前記所定部分に触れたことを前記タッチ検出部によって検出された前記指の本数にもとづいて、複数の異なるナビゲーションモードのうちの１つとして決定されたモードであり、
前記ナビゲーション特徴判定部は、ナビゲーション方向とナビゲーション速度とを決定するように構成されており、前記ナビゲーション方向は、前記本数の指が前記表示画面の前記所定部分から遠ざかるように前記同じ方向に同時移動したときの前記同時移動の方向にもとづいて決定された方向であり、前記本数の指が前記表示画面の前記所定部分から遠ざかるように前記同じ方向に同時移動したことは前記タッチ検出部によって検出されており、前記ナビゲーション速度は、前記本数の指が前記表示画面の前記所定部分から遠ざかるように前記同じ方向に同時移動したときの前記同時移動の距離にもとづいて決定された速度であり、前記本数の指が前記表示画面の前記所定部分から遠ざかるように前記同じ方向に前記距離だけ同時移動したことは前記タッチ検出部によって検出されており、
前記画像ナビゲーションコントローラは、前記ナビゲーションモード判定部によって決定された前記ナビゲーションモードと、前記ナビゲーション特徴判定部によって決定された前記ナビゲーション方向と、前記ナビゲーション特徴判定部によって決定された前記ナビゲーション速度とに従って、前記表示画面上に表示された画像をナビゲートするように前記表示装置を制御するように構成されていることを特徴とする表示システム。
【請求項１３】
前記コントローラは、前記表示画面の前記所定部分を囲むグラフィックオーバーレイを提示するように前記表示装置を制御するように構成されたグラフィックオーバーレイコントローラを更に備えており、
前記表示画面の前記所定部分は、前記表示画面上の不動の位置に設けられ、前記表示画面のうちの画像が表示される画像表示部よりも小さいサイズとされている請求項１２に記載のタッチ画面表示システム。
【請求項１４】
前記ナビゲーション特徴判定部は、前記本数の指が前記表示画面の前記所定部分から遠ざかるように前記同じ方向に同時移動したときの距離が大きくなるにつれて前記ナビゲーション速度が大きくなるよう前記ナビゲーション速度を決定するように構成されており、前記本数の指が前記表示画面の前記所定部分から遠ざかるように前記同じ方向に前記距離だけ同時移動したことは前記タッチ検出部によって検出されており、
前記ナビゲーション特徴判定部は、前記本数の指が前記表示画面の前記所定部分から遠ざかるように同時移動したときの方向にもとづいて前記ナビゲーション方向を決定するように構成されており、前記本数の指が前記表示画面の前記所定部分から遠ざかるように前記方向に同時移動したことは前記タッチ検出部によって検出されており、
前記コントローラは、前記表示画面上にナビゲーション速度参照マーカを提示するように前記表示装置を制御するよう構成されたナビゲーション速度参照コントローラを更に備えており、
前記ナビゲーション速度参照マーカは、前記本数の指が前記表示画面の前記所定部分から遠ざかるように移動したときの移動距離および前記ナビゲーション速度が大きくなるにつれて前記ナビゲーション速度参照マーカが拡大するように、第１の端部と第２の端部とを有しており、前記第１の端部は前記表示画面の前記所定部分に配置されており、前記第２の端部は、前記本数の指が前記表示画面の前記所定部分から遠ざかるように前記同じ方向に同時移動した後で前記表示画面に触れている前記本数の指の位置に対応する位置に配置されている請求項１３に記載のタッチ画面表示システム。
【請求項１５】
前記コントローラは、前記表示画面上に複数の凡例のうちの１つを提示するように前記表示装置を制御するように構成された凡例コントローラを更に備えており、
前記複数の凡例の各々は、前記複数の異なるナビゲーションモードのうちの一意の１つに関連付けられており、
前記凡例コントローラは、前記複数の凡例のうちの表示すべき１つを、前記ナビゲーションモード判定部によって決定されたナビゲーションモードに関連付けられた凡例であると決定し、
前記複数の凡例の各々は、前記本数の指の移動の方向に関連付けられたナビゲーション方向をユーザに示している請求項１３に記載のタッチ画面表示システム。
【請求項１６】
前記ナビゲーションモード判定部は、前記表示画面の前記所定部分に第１の本数の指が触れたことが前記タッチ検出部によって検出された場合に前記ナビゲーションモードをスクロールモードに決定し、前記表示画面の前記所定部分に前記第１の本数とは異なる第２の本数の指が触れたことが前記タッチ検出部によって検出された場合に前記ナビゲーションモードをズームモードに決定し、
前記ナビゲーションモード判定部が前記ナビゲーションモードを前記スクロールモードに決定した場合、前記ナビゲーション特徴判定部は、前記第１の本数の指が前記表示画面の前記所定部分から遠ざかるように移動するときの移動方向を前記ナビゲーション方向として決定し、前記ナビゲーション速度は、スクロール速度であるとともに、前記第１の本数の指が前記表示画面の前記所定部分から遠ざかるように移動するときの移動距離に比例するように決定され、
前記ナビゲーションモード判定部が前記ナビゲーションモードを前記ズームモードに決定した場合、前記ナビゲーション特徴判定部は、前記第２の本数の指が前記表示画面の前記所定部分から遠ざかる第１の方向に移動したことが検出されたとき、前記表示画面上に表示された画像が拡大されるズームイン方向を前記ナビゲーション方向として決定し、前記第２の本数の指が前記表示画面の前記所定部分から遠ざかる第２の方向に移動したことが検出されたとき、前記表示画面上に表示された画像が縮小されるズームアウト方向を前記ナビゲーション方向として決定し、前記第２の方向は前記第１の方向とは反対であり、前記ナビゲーション速度は、ズーム速度であるとともに、前記第２の本数の指が前記表示画面の前記所定部分から遠ざかるように移動するときの移動距離に比例するように決定される請求項１２に記載のタッチ画面表示システム。
【請求項１７】
前記コントローラは凡例コントローラを更に備えており、
前記凡例コントローラは、前記ナビゲーションモード判定部によって決定された前記ナビゲーションモードが前記スクロールモードである場合に前記表示画面上にスクロールの凡例を提示し、前記ナビゲーションモード判定部によって決定された前記ナビゲーションモードが前記ズームモードである場合に前記表示画面上にズームの凡例を提示するように、前記車両の表示装置を制御するよう構成されており、
前記スクロールの凡例は複数の矢印であり、前記複数の矢印は、前記表示画面の前記所定部分を囲むとともに前記表示画面の前記所定部分から外方向へと向いており、前記複数の矢印のうちのいずれかの矢印の方向への前記第１の本数の指の移動が前記第１の本数の指の移動方向へのスクロールを指示することを示しており、
前記ズームの凡例は、前記表示画面の前記所定部分の第１の側に提供されたズームインアイコン及び前記表示画面の前記所定部分の第２の側に提供されたズームアウトアイコンであり、前記第２の側は前記第１の側とは反対であり、前記ズームの凡例は、前記第１の側および前記ズームインアイコンに向かう前記第１の方向への前記第２の本数の指の移動が画像のズームインを指示することを示しており、前記第２の側および前記ズームアウトアイコンに向かう前記第２の方向への前記第２の本数の指の移動が画像のズームアウトを指示することを示している請求項１６に記載のタッチ画面表示システム。
【請求項１８】
タッチスクリーンユーザインターフェースを提供する車両の表示装置の表示画面上に提示された地図をナビゲートする方法であって、
前記車両の表示装置の表示画面の所定部分に触れる指の本数を検出するステップと、
前記表示画面上に表示された画像をナビゲートするナビゲーションモードを、前記表示画面の前記所定部分に触れたことを検出された前記指の本数にもとづいて、複数の異なるナビゲーションモードのうちの１つとして決定するステップと、
前記本数の指が前記表示画面の前記所定部分から遠ざかるように同時移動したときの前記同時移動の方向および距離を検出するステップと、
前記本数の指が前記表示画面の前記所定部分から遠ざかるように同時移動したときの前記同時移動の方向にもとづいてナビゲーション方向を決定するとともに、前記本数の指が
前記表示画面の前記所定部分から遠ざかるように同時移動したときの前記同時移動の距離にもとづいてナビゲーション速度を決定するステップと、
前記決定されたナビゲーションモード、前記決定されたナビゲーション方向、および前記決定されたナビゲーション速度に従って、前記表示画面上に表示される画像をナビゲートするステップと、
を含み、
前記所定部分は、前記車両の表示装置の表示画面上の不動の位置に設けられるとともに、前記表示画面のうちの画像が表示される画像表示部よりも小さいサイズであり、
前記本数の指が前記表示画面の前記所定部分から遠ざかるように前記方向に同時移動したことは検出されており、前記本数の指が前記表示画面の前記所定部分から遠ざかるように前記距離だけ同時移動したことは検出されていることを特徴とする方法。
【請求項１９】
前記ナビゲーション速度は、前記本数の指が前記表示画面の前記所定部分から遠ざかるように同時移動したときの前記同時移動の距離が大きくなるにつれて大きくなるように決定され、前記本数の指が前記表示画面の前記所定部分から遠ざかるように前記距離だけ同時移動したことは検出され、
前記ナビゲーション方向は、前記本数の指が前記表示画面の前記所定部分から遠ざかるように同時移動したときの前記同時移動の方向にもとづいて決定され、前記本数の指が前記表示画面の前記所定部分から遠ざかるように前記方向に同時移動したことは検出されている請求項１８に記載の方法。
【請求項２０】
ナビゲーション速度参照マーカを画像に重なった状態で前記表示画面上で提示するステップを更に含んでおり、
前記ナビゲーション速度参照マーカは、前記本数の指が前記表示画面の前記所定部分から遠ざかるように移動したときの移動距離および前記ナビゲーション速度が大きくなるにつれて前記ナビゲーション速度参照マーカが拡大するように、第１の端部と第２の端部とを有しており、前記第１の端部は、前記表示画面の前記所定部分に配置されており、前記第２の端部は、前記本数の指が前記表示画面の前記所定部分から遠ざかるように前記同じ方向に同時移動した後で前記表示画面に触れている前記本数の指の位置に対応する位置に配置されている請求項１９に記載の方法。
【発明の詳細な説明】
【技術分野】
【０００１】
本発明は、タッチスクリーンユーザインターフェースのナビゲーション制御に関する。
【背景技術】
【０００２】
表示画面を介して運転者に様々な種類の情報を提示する表示装置が車両の車室内に備えられることがある。さらに、車両の車室内に設けられるボタンまたは他の制御要素の数を減らすために、表示装置は、表示画面に直接触れることによる種々の選択肢の選択および／または種々の制御の実行をユーザが行えるようにするタッチスクリーンユーザインターフェースを提供することができる。
【発明の概要】
【発明が解決しようとする課題】
【０００３】
しかしながら、そのような表示装置は、車両の運転者および／または乗員のニーズに合わせた最適化がなされていない可能性がある。例えば、既存のタッチスクリーンで可能な操作は、ユーザがタッチスクリーンユーザインターフェースの操作にある程度慣れていることが必要であり、すべての車両のユーザがタッチスクリーンユーザインターフェースの操作に慣れているとは限らない。さらに、既存のタッチ画面で可能な操作は、運転者にとって短時間で実行することが難しい複雑な動作を必要とするものもある。またさらに、既存のタッチ画面で可能な操作は、複雑かつ高価なタッチスクリーン対応の表示装置が必要な場合があり、結果としてタッチスクリーン対応の表示装置のコストが高くなり、さらには／あるいは耐久性が低くなる可能性がある。したがって、使用方法が比較的簡単であり、さらには／あるいはあまり複雑でないタッチ画面対応の車両用の表示装置のニーズが存在する。
【課題を解決するための手段】
【０００４】
本発明の一の概念によれば、画像を表示画面上に表示するとともにタッチスクリーンユーザインターフェースを提供する車両の表示装置のためのコントローラが提供される。このコントローラは、タッチ検出部と、ナビゲーションモード判定部と、ナビゲーション特徴判定部と、画像ナビゲーションコントローラとを備える。タッチ検出部は、表示画面の所定部分に触れた指の本数と、該本数の指の全てが表示画面の所定部分から遠ざかるように同じ方向に同時移動した際の同時移動の方向および距離と、を検出するように構成されている。ナビゲーションモード判定部は、表示画面上に表示された画像をナビゲートするためのナビゲーションモードを、タッチ検出部によって表示画面の所定部分に触れたことが検出された指の本数にもとづき、複数の異なるナビゲーションモードのうちの１つとして決定するように構成されている。ナビゲーション特徴判定部は、タッチ検出部によって検出された同時移動、すなわち、該本数の指が表示画面の所定部分から遠ざかるように同じ方向に同時移動した際の同時移動の方向にもとづいてナビゲーション方向を決定するように構成されており、また、ナビゲーション特徴判定部は、タッチ検出部によって検出された同時移動、すなわち、該本数の指が表示画面の所定部分から遠ざかるように同じ方向に同時移動した際の同時移動の距離にもとづいてナビゲーション速度を決定するように構成されている。画像ナビゲーションコントローラは、ナビゲーションモード判定部によって決定されたナビゲーションモードと、ナビゲーション特徴判定部によって決定されたナビゲーション方向と、ナビゲーション特徴判定部によって決定されたナビゲーション速度とに従って、表示画面上に表示された画像をナビゲートするように車両の表示装置を制御するように構成されている。
【０００５】
本発明の別の概念によれば、車両用の表示システムは、画像の表示およびタッチスクリーンユーザインターフェースの提供を行う表示画面を備えている表示装置と、タッチスクリーンユーザインターフェースを制御するように構成されたコントローラと、を備える。コントローラは、タッチ検出部と、ナビゲーションモード判定部と、ナビゲーション特徴判定部と、画像ナビゲーションコントローラとを備える。タッチ検出部は、表示画面の所定部分に触れた指の本数と、該本数の指の全てが表示画面の所定部分から遠ざかるように同じ方向に同時移動した際の同時移動の方向および距離と、を検出するように構成されている。ナビゲーションモード判定部は、表示画面上に表示された画像をナビゲートするナビゲーションモードを、タッチ検出部によって表示画面の所定部分に触れたと検出された指の本数にもとづき、複数の異なるナビゲーションモードのうちの１つとして決定するように構成されている。ナビゲーション特徴判定部は、タッチ検出部によって検出された同時移動、すなわち、該本数の指が表示画面の所定部分から遠ざかるように同じ方向に同時移動した際の同時移動の方向にもとづいてナビゲーション方向を決定するように構成されており、また、ナビゲーション特徴判定部は、タッチ検出部によって検出された同時移動、すなわち、該本数の指が表示画面の所定部分から遠ざかるように同じ方向に同時移動した際の同時移動の距離にもとづいてナビゲーション速度を決定するように構成されている。画像ナビゲーションコントローラは、ナビゲーションモード判定部によって決定されたナビゲーションモードと、ナビゲーション特徴判定部によって決定されたナビゲーション方向と、ナビゲーション特徴判定部によって決定されたナビゲーション速度とに従って、表示画面上に表示された画像をナビゲートするように車両の表示装置を制御するように構成されている。
【０００６】
本発明の更なる別の概念によれば、タッチスクリーンユーザインターフェースを提供する車両の表示装置の表示画面上に提示された地図をナビゲートするための方法が提供される。本方法は、車両の表示装置の表示画面の所定部分に触れる指の本数を検出するステップを含む。該所定部分は、車両の表示装置の表示画面上の不動の位置に設けられているとともに、表示画面のうちの画像が表示される画像表示部よりも小さいサイズとされている。さらに本方法は、表示画面上に表示された画像をナビゲートするナビゲーションモードを、表示画面の所定部分に触れたと検出された指の本数にもとづいて、複数の異なるナビゲーションモードのうちの１つとして決定するステップを含む。さらに本方法は、表示画面の所定部分から遠ざかる本数の指の同時移動の方向および距離を検出するステップを含む。さらに本方法は、検出された表示画面の所定部分から遠ざかる本数の指の同時移動の方向にもとづいてナビゲーション方向を決定し、検出された表示画面の所定部分から遠ざかる本数の指の同時移動の距離にもとづいてナビゲーション速度を決定するステップを含む。さらに本方法は、決定されたナビゲーションモードと、決定されたナビゲーション方向と、決定されたナビゲーション速度とに従って、表示画面上に表示される画像をナビゲートするステップを含む。
【図面の簡単な説明】
【０００７】
【図１】表示システムが設けられた車両の車室内の斜視図。
【図２】表示システムを示すブロック図。
【図３】ユーザが表示画面の所定部分に触れる前の表示システムの表示画面を示す図。
【図４】ユーザが１本の指で表示画面の所定部分に触れ、この１本の指を表示画面の所定部分から遠ざかるように移動させた状態における表示画面を示す図。
【図５】ユーザが２本の指で表示画面の所定部分に触れ、この２本の指を表示画面の所定部分から遠ざかるように移動させた状態における表示画面を示す図。
【発明を実施するための形態】
【０００８】
図１および２を参照すると、車両の車室内１００に、表示画面１０６を有する表示装置１０４（「車両用表示装置」）を備える表示システム１０２（図１を参照）と、コントローラ１０８（図２を参照）とが備えられている。表示装置１０４および表示画面１０６は、表示画面１０６が車両の乗員の視野内に位置するように設けられている。例えば、表示装置１０４および表示画面１０６を、図１に示されるように車両の車室内１００の中央計器パネル１１０に設けることができ、あるいは車両の車室内の任意の他の場所に設けることができる。コントローラ１０８は、表示装置１０４の内部に設けられてよく、あるいは（表示装置１０４に連絡しつつ）表示装置１０４とは別に設けられてもよい。
【０００９】
表示システム１０２を、表示装置１０４が表示画面１０６を介してタッチスクリーンユーザインターフェースとして働くように構成することができる。したがって、ユーザは、１本以上の指で表示画面１０６に触れ、さらには／あるいは１本以上の指を表示画面１０６に沿って動かすことで、表示システム１０２を操作することができる。種々の機能および／または操作は、表示システム１０２によってもたらされるタッチスクリーンユーザインターフェースによって可能になることが明らかであるが、本明細書の開示は、表示画面１０６上に表示された画像のナビゲートをユーザにとって可能にするタッチスクリーンユーザインターフェースの機能／操作を説明する。ナビゲーションは、表示画面１０６上に提示された任意の画像のナビゲーションでもよいが、以下においては、地図の画像に焦点を当てる。
【００１０】
ナビゲーションに関して、地図は、きわめて大きな画像であって、その一部分だけが特定のサイズで表示画面１０６上に表示されると考えることができる。地図をナビゲートする動作としては、スクロール動作が含まれ、これによって、地図を上下方向、水平方向、斜め方向などに移動させて、地図の別の部分を表示画面１０６上に表示させる。また、地図のナビゲートする動作には、ズーム動作も含まれており、これによって、地図を拡大（ズームイン）して、より狭い地理的領域が表示画面１０６上に提示されるようになるか或いは、あるいは地図を縮小（ズームアウト）して、より広い地理的領域が表示画面上に提示されるようにすることができる。地図のナビゲート動作は、他にも、表示システム１０２によって可能にすることができる（例えば、同時のスクロール動作およびズーム動作など）。
【００１１】
表示システム１０２は、表示画面１０６への地図の表示およびタッチ画面の操作性を可能にする任意の必要または有益な構成要素を備えることができる。それらの構成要素は、コントローラ１０８に含まれてよく、もしくは表示システム１０２によってもたらされる別のコントローラか或いは表示システム１０２と通信する別のコントローラに含まれてもよい。本明細書の開示は、表示画面１０６上に表示された地図（または、他の画像）をナビゲートするためのナビゲーション操作を説明し、ナビゲーション操作に関係する表示システム１０２および／またはコントローラ１０８の構成要素だけを詳しく説明する。本明細書において説明されない構成要素は、画像の表示および表示システム１０２のタッチ画面の能力を可能にする任意の構成要素の形態をとることができる。
【００１２】
表示画面１０６上の地図（画像）のナビゲーションを容易にするために、コントローラ１０８は、画像表示コントローラ１１２と、グラフィックオーバーレイコントローラ１１４と、凡例コントローラ１１６と、タッチ検出部１１８と、ナビゲーションモード判定部１２０と、ナビゲーション特徴判定部１２２と、画像ナビゲーションコントローラ１２４と、ナビゲーション速度参照コントローラ１２５とを備える。コントローラ１０８および／または本明細書においてコントローラ１０８に含まれるものとして説明される任意の構成要素を、本明細書において説明される機能を実行するように構成された１つ以上のプロセッサ（演算プロセッサ）、コンピュータ、ハードウェア部品、ソフトウェア要素、などとして設けることができる。本明細書において説明される画像表示コントローラ１１２、グラフィックオーバーレイコントローラ１１４、凡例コントローラ１１６、タッチ検出部１１８、ナビゲーションモード判定部１２０、ナビゲーション特徴判定部１２２、画像ナビゲーションコントローラ１２４、およびナビゲーション速度参照コントローラ１２５のいずれも、互いに組み合わせることが可能であり、あるいは２つ以上のプロセッサ（演算プロセッサ）、コンピュータ、ハードウェア部品、ソフトウェア要素、などによってもたらされてよいことを、理解すべきである。コントローラ１０８の構成要素を図２〜５を参照して説明する。
【００１３】
画像表示コントローラ１１２は、表示画面１０６上に地図（または、他の画像）を提示するように表示装置１０４を制御する。画像表示コントローラ１１２は、地図に関するデータを含むメモリまたはデータベース、ならびに表示装置１０４によって表示画面１０６上に地図が提示されるよう、表示装置と通信して表示装置を制御する他のプロセッサ、コンピュータ、ハードウェア部品、ソフトウェア要素、などを備えることができる。下記の説明に関して理解されるとおり、画像表示コントローラ１１２は、表示画面１０６上に表示される地図を変更するために、画像ナビゲーションコントローラ１２４と協働することができる。
【００１４】
コントローラ１０８の残りの構成要素は、ユーザが表示画面１０６をタッチスクリーンユーザインターフェースとして使用して表示画面１０６上に表示された地図をナビゲートできるよう、表示装置１０４を制御するように構成される。これに関して、タッチスクリーンユーザインターフェースとしての表示システム１０２の使用を簡単にするために、表示システム１０２は、ユーザが最初に特定の本数の指で表示画面１０６の所定部分に触れることによって表示画面１０６上に示された地図をナビゲートできるように、動作することが可能である。表示画面１０６の前記所定部分を、表示画面１０６上の固定位置に設けることができ、表示画面１０６の画像表示部１２６（図３を参照）よりも小さなサイズとすることができる。
【００１５】
グラフィックオーバーレイコントローラ１１４は、表示画面１０６上に示された地図に重なる状態でグラフィックオーバーレイ１２８を表示画面１０６に提示すべく、表示装置１０４を制御するように構成されている。グラフィックオーバーレイ１２８を表示画面１０６の前記所定部分の位置および境界を示すために提示することができる。また、グラフィックオーバーレイ１２８は、表示画面１０６によってもたらされるタッチスクリーンユーザインターフェースを介してナビゲーション指示を提供するときにユーザに尺度の感覚（スケール感）をもたらすために提示される。図３に示されるように、グラフィックオーバーレイ１２８は、第１のグラフィックオーバーレイ要素１３０および第２のグラフィックオーバーレイ要素１３２を含むが、グラフィックオーバーレイ１２８を、依然として本発明の技術的範囲において、別のやり方でもたらすことも可能である。
【００１６】
第１のグラフィックオーバーレイ要素１３０は、表示画面１０６の所定部分を囲む円（幾何学的形状）として提供される。第２のグラフィックオーバーレイ要素１３２も円（幾何学的形状）として提供され、該要素１３２は、第１のグラフィックオーバーレイ要素１３０よりも大きなサイズを有しており、第１のグラフィックオーバーレイ要素１３０を同心で囲むように配置される。したがって、第１のグラフィックオーバーレイ要素１３０が表示画面１０６の所定部分の位置をユーザに示す。第２のグラフィックオーバーレイ要素１３２は、表示画面１０６に触れた指が第１のグラフィックオーバーレイ要素１３０によって囲まれた所定部分から遠ざかるように移動してナビゲーション指示を提供するために表示画面１０６のユーザに尺度の感覚を提供することができる。
【００１７】
表示システム１０２は、ユーザが種々のナビゲーションモードを使用して表示画面１０６上に示された地図をナビゲートすることを可能にする。例えば、ユーザは、地図のスクロールあるいは地図のズームインまたはズームアウトを行うことができる。この点に関し、表示システム１０２は、ユーザが所望のナビゲーションモードに関連付けられた特定の本数の指で表示画面１０６の前記所定部分に触れることによって複数の異なるナビゲーションモードのなかから所望のナビゲーションモードを選択することを可能にする。適切なナビゲーションモードの選択および選択されたナビゲーションモードを用いてのナビゲートにおいてユーザを補助するために、凡例コントローラ１１６は、複数の異なる凡例のうちの少なくとも１つを表示画面１０６上に提示するように表示装置１０４を制御する。
【００１８】
複数の異なる凡例は、全体的な凡例と複数の異なるナビゲーションモードのうちの一意の１つのモードに関連付けられた凡例とを含むことができる。全体的な凡例１３４は、利用可能なナビゲーションモードと利用可能なナビゲーションモードの使用方法とをユーザに教える。それぞれ異なるナビゲーションモードに関連付けられた各凡例は、選択されたナビゲーションモードの使用についてユーザに指示する。
【００１９】
表示システム１０２が、本明細書においては、２つの異なるナビゲーションモードにて動作できるものとして説明されているが、本発明の技術的範囲において、より少数またはより多数のナビゲーションモードを使用してもよいことは理解されたい。第１のナビゲーションモードは、表示画面１０６上に示された地図がスクロールされるスクロールモードであり、第２のナビゲーションモードは、表示画面１０６上に示された地図がズームインまたはズームアウトされるズームモードである。さらに、表示システム１０２は、本明細書においては、表示画面１０６の所定部分に１本の指で触れることによって起動するスクロールモードと、表示画面１０６の所定部分に２本の指で触れることによって起動するナビゲーションモードとを有するものとして説明されている。
【００２０】
したがって、ユーザがいかなる指も表示画面１０６に触れさせていないときに全体的な凡例１３４を表示画面１０６上に提示することができる。したがって、全体的な凡例１３４は、種々のナビゲーションモードについての選択肢をユーザに提示する。図３に示されるように、全体的な凡例１３４は、ユーザが１本以上の指で表示画面１０６の所定部分に触れる旨の指示と、それぞれ異なる本数の指で表示画面１０６の所定部分に触れることに関連するナビゲーションモードに関する指示と、を提示する。この点に関し、全体的な凡例１３４は、スクロールモードに関するスクロールの凡例１３６およびズームモードに関するズームの凡例１３８を小型版または簡略版で含むことができる（スクロールの凡例１３６およびズームの凡例１３８は後述）。
【００２１】
ひとたびユーザが１本以上の指で表示画面１０６の所定部分に触れると、凡例コントローラ１１６は、全体的な凡例１３４を取り除き、ユーザによって選択されたナビゲーションモードに関する凡例を提示するように表示装置１０４を制御する。図４を参照すると、ひとたびユーザが１本の指で表示画面１０６の所定部分に触れると、スクロールの凡例１３６がユーザに提示される。スクロールの凡例１３６は、表示画面１０６の所定部分および第１のグラフィックオーバーレイ要素１３０を囲み、そこから外側へと向いている複数の矢印を提示する。したがって、スクロールの凡例１３６は、１本の指を表示画面１０６の所定部分および第１のグラフィックオーバーレイ要素１３０から遠ざかるように複数の矢印のうちのいずれかの方向に動かすことで、この１本の指の移動の方向のスクロールが指示されることをユーザに示している。
【００２２】
ズームの凡例１３８は、ひとたびユーザが２本の指で（同時に）表示画面１０６の所定部分に触れたならば、ユーザに提示される。図５を参照すると、ズームの凡例１３８は、表示画面１０６の所定部分および第１のグラフィックオーバーレイ要素１３０の第１の側に位置するズームインアイコン１４０と、表示画面１０６の所定部分および第１のグラフィックオーバーレイ要素１３０の第２の側に位置するズームアウトアイコン１４２と、を含む。表示画面１０６の所定部分および第１のグラフィックオーバーレイ要素１３０の第１の側は、第２の側の反対側であってよい。ズームの凡例１３８は、２本の指を同時に第１の側およびズームインアイコン１４０に向かう第１の方向に動かしたときに、表示画面１０６上に示された地図のズームインナビゲーションを指示することをユーザに示している。２本の指を同時に第２の側およびズームアウトアイコン１４２に向かう第２の方向に動かすと、表示画面１０６上に示された地図のズームアウトナビゲーションを指示する。
【００２３】
さまざまな種類の凡例を、凡例コントローラ１１６によって表示画面１０６上に提示できることは理解されたい。また、さまざまな種類のナビゲーションモードがユーザにとって利用可能になるとき、さらなる凡例および／または異なる凡例を、表示装置１０４を制御する凡例コントローラ１１６によって表示画面１０６上に提示できることも理解されたい。さらに、凡例コントローラ１１６は、ひとたびユーザが特定の本数の指で表示画面１０６の所定部分に触れることによってナビゲーションモードを選択したときに限って、凡例を提示するように構成されていてもよい（すなわち、全体的な凡例１３４を省略してもよい）。
【００２４】
タッチ検出部１１８は、表示画面１０６の所定部分にユーザの指が触れることを検出する。詳しくは、タッチ検出部１１８は、表示画面１０６の所定部分に触れた指の本数を検出する。上述した例の説明を参照すると、タッチ検出部１１８は、表示画面１０６の所定部分に触れた１本の指または表示画面１０６の所定部分に触れた２本の指を検出する。
【００２５】
表示画面１０６の所定部分に指が触れたことと、表示画面１０６の所定部分に触れた指の本数と、を検出する他、タッチ検出部１１８は、表示画面１０６の所定部分に触れた（１本以上の）指の移動も検出する。特に、タッチ検出部１１８は、表示画面１０６の所定部分に触れた指が表示画面１０６の所定部分から遠ざかるように移動する際の移動方向を検出するように構成されている。さらに、タッチ検出部１１８は、表示画面１０６の所定部分に触れた指の移動距離をも検出するように構成されている。
【００２６】
この点に関し、表示画面１０６上に示された地図のナビゲーションは、ユーザが特定の本数の指で表示画面１０６の所定部分に触れて、表示画面１０６の所定部分から遠ざかるようにそれらの指を同時に同じ方向に移動させることによって、行われる。換言すると、２本の指が表示画面１０６の所定部分に触れたとき、ナビゲーションは、それら２本の指を同時かつ一緒に表示画面１０６の所定部分から遠ざかるように同じ方向に移動させることによって達成される（図５を参照）。
【００２７】
タッチ検出部１１８は、表示画面１０６を横切る指の移動を検出（すなわち、二次元の移動検出）、あるいは表示画面から遠ざかるような指の移動を検出（すなわち、三次元の移動検出）を行うように構成されることが可能である。以下では、タッチ検出部１１８および表示システム１０２を二次元の移動検出を使用するものとして説明するが、それに代え、あるいはそれに加えて、三次元の移動検出も使用できることは理解されたい。例えば、三次元の移動検出をズームモードにおいてのみ提供することができる。三次元の移動検出を可能にするために、タッチ検出部１１８は、表示画面１０６から遠ざかるユーザの手／指の移動（例えば、移動の距離および方向）を検出する１つ以上のセンサと通信することができる。
【００２８】
指が表示画面１０６の所定部分に触れて表示画面１０６の所定部分から遠ざかるように二次元移動する際の移動方向及び移動距離を検出するタッチ検出部１１８に関し、タッチ検出部１１８は、画像表示部１２６の全体にわたって機能してもよく、さらには／あるいは、第２のグラフィックオーバーレイ要素１３２にとどまるように制限されてもよく、制限する場合、第２のグラフィックオーバーレイ要素１３２を超える移動は最大移動とみなされる。タッチ検出部１１８による指の移動距離の検出を第２のグラフィックオーバーレイ要素１３２の範囲内に限定することによって、（詳しく後述されるように）ユーザに所望のナビゲーション速度に関する尺度の感覚をもたらすことができる。
【００２９】
上述のように、表示システム１０２は、ユーザが異なる本数の指で表示画面１０６の前記所定部分に触れることによって複数の異なるナビゲーションモードのなかから所望のナビゲーションモードを選択することを可能にする。この点に関し、ナビゲーションモード判定部１２０は、表示画面１０６上に表示された地図のナビゲートに使用されるユーザ所望のナビゲーションモードを、複数の異なるナビゲーションモードのうちの１つとして決定する。詳しくは、ナビゲーションモード判定部１２０は、表示画面１０６の所定部分に触れたことが検出された指の本数を示すタッチ検出部１１８からの入力を受信する。表示画面１０６の所定部分に触れたことが検出された指の本数にもとづき、ナビゲーションモード判定部１２０は、複数の異なるナビゲーションモードのなかからナビゲーションモードを決定する。例えば、第１の本数の指が表示画面１０６の所定部分に触れたことがタッチ検出部１１８によって検出された場合、ナビゲーションモード判定部１２０は、ナビゲーションモードを第１のナビゲーションモードに決定し、第２の本数の指が表示画面１０６の所定部分に触れたことがタッチ検出部１１８によって検出された場合、ナビゲーションモード判定部１２０は、ナビゲーションモードを第２のナビゲーションモードに決定する等である。
【００３０】
上述の例では、１本の指が表示画面１０６の所定部分に触れたことをタッチ検出部１１８が検出した場合に、ナビゲーションモード判定部は、ナビゲーションモードをスクロールモードに決定する。表示画面１０６の前記所定部分に触れた２本の指をタッチ検出部１１８が検出した場合に、ナビゲーションモード判定部は、ナビゲーションモードをズームモードに決定する。ナビゲーションモード判定部は、表示画面１０６の所定部分に触れた指の任意の数および／または他の変種にもとづいて、任意の数の異なるナビゲーションモードで機能することができる。
【００３１】
指が表示画面１０６の所定部分から遠ざかるように同時移動した際にて検出された同時移動の方向及び距離は、それぞれナビゲーション方向およびナビゲーション速度を決定するために使用される。この点に関して、ナビゲーション特徴判定部１２２は、表示画面１０６の所定部分から遠ざかるような（すなわち、第１のグラフィックオーバーレイ要素１３０を出るような）指の移動の方向および距離を示すタッチ検出部１１８からの入力を受信し、タッチ検出部１１８によって検出された指の同時移動、すなわち、表示画面１０６の所定部分から遠ざかるような（すなわち、第１のグラフィックオーバーレイ要素１３０を出るような）指の同じ方向への同時移動の方向にもとづいてナビゲーション方向を決定し、タッチ検出部１１８によって検出された指の同時移動、すなわち、表示画面１０６の所定部分から遠ざかるような指の同じ方向への同時移動の距離にもとづいてナビゲーション速度を決定する。
【００３２】
図４を参照すると、スクロールモードにおけるナビゲーション方向は、タッチ検出部１１８によって検出された１本の指の移動、すなわち、表示画面１０６の所定部分から遠ざかるような（すなわち、第１のグラフィックオーバーレイ要素１３０を出るような）１本の指の移動する際の移動方向であることがナビゲーション特徴判定部１２２によって決定される。この方向は、上下方向、水平方向、および／または任意の斜め方向であってよい。
【００３３】
図５を参照すると、ナビゲーション特徴判定部１２２によって決定されるズームモードにおけるナビゲーション方向はズームイン方向またはズームアウト方向のいずれかでよい。ズームインおよびズームアウト方向は、指の動きによって指示され、それぞれ特定の方向の指の移動に関連付けられている。この点に関し、２本の指が表示画面１０６の所定部分から遠ざかり（すなわち、第１のグラフィックオーバーレイ要素１３０を出て）、第２の側（すなわち、ズームアウトアイコン１４２）に向かって移動したことをタッチ検出部１１８が検出する場合、ナビゲーション特徴判定部１２２は、ナビゲーション方向をズームアウトのナビゲーション方向であると決定する。２本の指が表示画面１０６の所定部分から遠ざかり（すなわち、第１のグラフィックオーバーレイ要素１３０を出て）、第１の側（すなわち、ズームインアイコン１４０）に向かって移動したことをタッチ検出部１１８が検出する場合、ナビゲーション特徴判定部１２２は、ナビゲーション方向をズームインのナビゲーション方向であると決定する。
【００３４】
ナビゲーション特徴判定部１２２は、タッチ検出部１１８によって検出される指の移動、すなわち、表示画面１０６の所定部分から遠ざかるような指の同じ方向への移動の距離が大きくなるほどナビゲーション速度が大きくなるように、任意のいずれかのナビゲーションモードに関するナビゲーション速度を決定することができ、その逆も然りである。この点に関し、ユーザが表示画面１０６の所定部分に触れた指を表示画面１０６の所定部分から遠ざかるように移動させる際の移動距離にもとづいて、ユーザは、表示画面１０６上に示された地図のナビゲーションの速度を制御することができる。スクロールモードおよびズームモードに関して、表示画面１０６の所定部分から遠ざかるユーザの１本の指または２本の指の（同時かつ同じ方向の）移動距離につれて、地図に沿ったスクロールする際のナビゲーション速度或いは地図のズームインまたはズームアウトする際のナビゲーション速度を比例して増加させることができ、その逆も然りである。
【００３５】
画像ナビゲーションコントローラ１２４は、ナビゲーションモード判定部１２０およびナビゲーション特徴判定部１２２からの入力を受信し、ナビゲーションモード判定部１２０によって決定されたナビゲーションモードと、ナビゲーション特徴判定部１２２によって決定されたナビゲーション方向と、およびナビゲーション特徴判定部１２２によって決定されたナビゲーション速度とに従って表示画面１０６上に表示された地図をナビゲートするように表示装置１０４を制御する。換言すると、画像ナビゲーションコントローラ１２４は、ユーザが提供した指示に従って（すなわち、表示画面１０６の所定部分に触れたと検出された指の本数と、検出された指の移動、すなわち、表示画面１０６の所定部分から遠ざかる指の移動の方向および距離と、にもとづいて）地図のスクロールまたはズームを行うように表示装置１０４を制御する。上述のように、画像ナビゲーションコントローラ１２４は、地図のうちの必要な部分を所望のサイズ（倍率）で表示するように画像表示コントローラ１１２と協働することができる。
【００３６】
表示画面１０６上に示された地図をナビゲートするときにユーザにフィードバックを提供するために、ナビゲーション速度参照コントローラ１２５は、表示画面１０６において地図上にナビゲーション速度参照マーカ１４４を提示するように表示装置１０４を制御する。ナビゲーション速度参照マーカ１４４は、表示画面１０６の所定部分かつ第１のグラフィックオーバーレイ要素１３０の内側に位置する第１の端部と、指が表示画面１０６の所定部分から遠ざかるように同じ方向に同時移動した後で表示画面１０６に触れている指の位置に対応する位置にある第２の端部と、を有する矢印または線であってよい。
【００３７】
したがって、ナビゲーション速度参照マーカ１４４は、指が表示画面１０６の所定部分から遠ざかるように移動する際の移動距離が大きくなるほど、拡大する。結果として、ナビゲーション速度参照マーカ１４４は、ナビゲーション速度が増すにつれて大きくなる。ナビゲーション速度参照コントローラ１２５は、ナビゲーション速度参照マーカ１４４が第２のグラフィックオーバーレイ要素１３２の内側にとどまるように表示装置１０４を制御することができるか、あるいは、ナビゲーション速度参照マーカ１４４が画像表示部１２６の任意の場所に位置してよいように表示装置１０４を制御することができる。
【００３８】
動作中（すなわち、表示装置１０４の表示画面１０６上に提示された地図をナビゲートするための方法）において、画像表示コントローラ１１２は、表示画面１０６上に地図を提示するように表示装置１０４を制御する。地図のうちの特定の部分（車両の地理的位置に対応する部分）だけが表示画面１０６上に提示される。このときに、グラフィックオーバーレイコントローラ１１４は、グラフィックオーバーレイ１２８を提示するように表示装置１０４を制御し、凡例コントローラ１１６は、全体的な凡例１３４を提示するように表示装置１０４を制御する。
【００３９】
複数の異なるナビゲーションモードがスクロールモードおよびズームモードを含んでおり、スクロールモードが表示画面１０６の所定部分内に１本の指でタッチすることに関連付けられ、ズームモードが表示画面１０６の所定部分内に２本の指でタッチすることに関連付けられている上述の例示の実施形態を参照すると、表示システム１０２は、図３に示されているとおりに見えるように表示画面１０６を提示する。詳しくは、グラフィックオーバーレイ１２８は、表示画面１０６の所定部分を囲む円である第１のグラフィックオーバーレイ要素１３０と、第１のグラフィックオーバーレイ要素１３０と同心であるとともに第１のグラフィックオーバーレイ要素１３０よりも大きい円である第２のグラフィックオーバーレイ要素１３２と、によって提示される。さらに、全体的な凡例１３４は、スクロールの凡例１３６およびズームの凡例１３８を小型版または簡略版で含むように提示される。
【００４０】
表示画面１０６上に示された地図のナビゲーションを開始するために、ユーザは、特定の本数の指で第１のグラフィックオーバーレイ要素１３０の内側の表示画面１０６の所定部分に触れる。タッチ検出部１１８によって検出される表示画面１０６の所定部分に触れた指の本数にもとづき、ナビゲーションモード判定部１２０は、複数の異なるナビゲーションモードのなかからナビゲーションモードを決定する。次いで、凡例コントローラ１１６は、決定されたナビゲーションモードに関係する凡例を地図へのオーバーレイで表示画面１０６上に提示するように表示装置１０４を制御する。
【００４１】
上述の例示の実施形態を参照すると、タッチ検出部１１８が表示画面１０６の所定部分（すなわち、第１のグラフィックオーバーレイ要素１３０の内側）に触れた１本の指を検出すると、ナビゲーションモード判定部１２０は、ナビゲーションモードをスクロールモードに決定する。したがって、凡例コントローラ１１６は、図４に示されるようにスクロールの凡例１３６を地図へのオーバーレイで表示画面１０６上に提示するように表示装置１０４を制御する。タッチ検出部１１８が表示画面１０６の所定部分（すなわち、第１のグラフィックオーバーレイ要素１３０の内側）に触れた２本の指を検出すると、ナビゲーションモード判定部１２０は、ナビゲーションモードをズームモードに決定する。したがって、凡例コントローラ１１６は、図５に示されるようにズームの凡例１３８を地図へのオーバーレイで表示画面１０６上に提示するように表示装置１０４を制御する。
【００４２】
次いで、ユーザは、表示画面１０６の所定部分に触れた指を表示画面１０６の所定部分から遠ざかるように特定の方向に特定の距離だけ動かすことによって、ナビゲーションの方向およびナビゲーションの速度を制御することができる。タッチ検出部１１８は、指の移動の方向および距離を検出し、情報をナビゲーション特徴判定部１２２に通信する。表示画面１０６の所定部分から遠ざかる指の移動の方向および距離にもとづいて、ナビゲーション特徴判定部１２２は、ナビゲーションの方向およびナビゲーションの速度を決定する。
【００４３】
次いで、画像ナビゲーションコントローラ１２４は、ナビゲーションモード判定部１２０によって決定されたナビゲーションモードとナビゲーション特徴判定部１２２によって決定されたナビゲーション速度及びナビゲーション方向とに従って表示画面１０６上に示された地図をナビゲートするように表示装置１０４を制御する。さらに、ナビゲーション速度参照コントローラ１２５は、ナビゲーション速度参照マーカ１４４の第１の端部が表示画面１０６の所定部分の内側（すなわち、第１のグラフィックオーバーレイ要素１３０の内側）に位置するとともにナビゲーション速度参照マーカ１４４の第２の端部が表示画面１０６の所定部分から遠ざかるように移動させられたユーザの指の位置および／または第２のグラフィックオーバーレイ要素１３２の端部に位置した状態で、ナビゲーション速度参照マーカ１４４を提示するように表示装置１０４を制御する。
【００４４】
上述の例示の実施形態に関して、ユーザが１本の指で表示画面１０６の所定部分に触れた場合に、ユーザは、１本の指を表示画面１０６の所定部分（すなわち、第１のグラフィックオーバーレイ要素１３０）から遠ざかる任意の方向に移動させることによって、スクロールモードにおいて地図をナビゲートすることができる。この点に関し、スクロールの凡例１３６は、第１のグラフィックオーバーレイ要素１３０を囲むとともに第１のグラフィックオーバーレイ要素１３０から外方向へと向く複数の矢印を提供しているので、１本の指を任意の方向に移動させることによってその方向へのスクロールが達成されることをユーザに教える。ユーザが１本の指を表示画面１０６の所定部分および第１のグラフィックオーバーレイ要素１３０から遠ざかるように移動させるとき、タッチ検出部１１８は、１本の指の移動の方向ならびに表示画面１０６の所定部分および第１のグラフィックオーバーレイ要素１３０から遠ざかる１本の指の移動の距離を検出する。
【００４５】
検出された移動方向及び距離、すなわち、１本の指が表示画面の所定部分および第１のグラフィックオーバーレイ要素１３０から遠ざかるように移動した際の移動方向及び距離にもとづき、ナビゲーション特徴判定部１２２は、スクロールモードにおけるナビゲーションのナビゲーション方向およびナビゲーション速度を決定する。詳しくは、ナビゲーション方向は、１本の指が表示画面の所定部分および第１のグラフィックオーバーレイ要素１３０から遠ざかるように移動する際の移動方向として、ナビゲーション特徴判定部１２２に決定される。ナビゲーション（スクロール）速度は、表示画面の所定部分および第１のグラフィックオーバーレイ要素１３０から遠ざかる１本の指の移動の距離に比例するように決定される。
【００４６】
次いで、画像ナビゲーションコントローラ１２４は、（ナビゲーションモード判定部１２０によって決定された）スクロールモードにおいて、ナビゲーション特徴判定部１２２によって決定されたナビゲーション方向に、ナビゲーション特徴判定部１２２によって決定されたナビゲーション速度で、表示画面１０６上に示された地図をナビゲートするように表示装置１０４を制御する。具体的には、画像ナビゲーションコントローラ１２４は、ナビゲーション特徴判定部１２２によって決定されたナビゲーション方向に、ナビゲーション特徴判定部１２２によって決定されたナビゲーション速度で、表示画面１０６上に示された地図に沿ってスクロールを行うように表示装置１０４を制御する。
【００４７】
同時に、ナビゲーション速度参照コントローラ１２５は、ナビゲーション速度参照マーカ１４４を提示するように表示装置１０４を制御し、このとき、提示されたナビゲーション速度参照マーカ１４４の第１の端部は、表示画面１０６の所定部分において第１のグラフィックオーバーレイ要素１３０の内側に配置され、該ナビゲーション速度参照マーカ１４４の第２の端部は、表示画面１０６の所定部分から遠ざかるように移動した後の１本の指の位置に配置されるか或いは１本の指が第２のグラフィックオーバーレイ要素１３２を過ぎて移動した場合には第２のグラフィックオーバーレイ要素１３２に配置される。代案として、ナビゲーション速度参照マーカ１４４の第２の端部は、表示画面１０６の画像表示部１２６の任意の（すなわち、第２のグラフィックオーバーレイ要素１３２を過ぎた）場所に配置可能であってもよい。
【００４８】
ユーザは、２本の指で表示画面１０６の所定部分に触れたとき、表示画面１０６の所定部分（すなわち、第１のグラフィックオーバーレイ要素１３０）から遠ざかる第１の方向および第２の方向のうちの一方に２本の指を同時に移動させることによって、ズームモードにおいて地図をナビゲートすることができる。この点に関し、ズームの凡例１３８は、第１のグラフィックオーバーレイ要素１３０の第１の側に配置されたズームインアイコン１４０を含み、２本の指を第１の方向に移動させてズームインが指示されることをユーザに示す。さらに、ズームの凡例１３８は、第１のグラフィックオーバーレイ要素１３０の第２の側に配置されたズームアウトアイコン１４２を含み、２本の指を第２の方向に移動させてズームアウトが指示されることをユーザに示す。
【００４９】
ユーザが表示画面１０６の所定部分および第１のグラフィックオーバーレイ要素１３０から遠ざかるように２本の指を同時に移動させるとき、タッチ検出部１１８は、２本の指の移動の方向と、表示画面１０６の所定部分および第１のグラフィックオーバーレイ要素１３０から遠ざかる２本の指の移動の距離とを検出する。検出された２本の指の移動方向及び距離、すなわち、２本の指が表示画面の所定部分および第１のグラフィックオーバーレイ要素１３０から遠ざかるように移動した際の移動方向および距離にもとづき、ナビゲーション特徴判定部１２２は、ズームモードにおけるナビゲーションのナビゲーション方向およびナビゲーション速度を決定する。特に、２本の指が表示画面１０６の所定部分および第１のグラフィックオーバーレイ要素１３０から遠ざかるように第１の方向に動かされる場合、ナビゲーション特徴判定部１２２は、ナビゲーション方向がズームイン方向であると決定する。２本の指が表示画面１０６の所定部分および第１のグラフィックオーバーレイ要素１３０から遠ざかるように第２の方向に動かされる場合、ナビゲーション特徴判定部１２２は、ナビゲーション方向がズームアウト方向であると決定する。ナビゲーション（ズーム）速度は、表示画面の所定部分および第１のグラフィックオーバーレイ要素１３０から遠ざかる２本の指の移動の距離に比例するように決定される。
【００５０】
次いで、画像ナビゲーションコントローラ１２４は、（ナビゲーションモード判定部１２０によって決定された）ズームモードにおいて、ナビゲーション特徴判定部１２２によって決定されたナビゲーション方向に、ナビゲーション特徴判定部１２２によって決定されたナビゲーション速度で、表示画面１０６上に示された地図をナビゲートするように表示装置１０４を制御する。具体的には、画像ナビゲーションコントローラ１２４は、ナビゲーション特徴判定部１２２によって決定されたナビゲーション（ズーム）速度で表示画面１０６上に示された地図のズームインまたはズームアウトを（ナビゲーション特徴判定部１２２によって決定されたように）行うように表示装置１０４を制御する。
【００５１】
同時に、ナビゲーション速度参照コントローラ１２５は、ナビゲーション速度参照マーカ１４４を提示するように表示装置１０４を制御し、提示されたナビゲーション速度参照マーカ１４４の第１の端部は、表示画面１０６の所定部分において第１のグラフィックオーバーレイ要素１３０の内側に配置され、該ナビゲーション速度参照マーカ１４４の第２の端部は、表示画面１０６の所定部分から遠ざかるように移動した後の２本の指の位置に配置されるか或いは２本の指が第２のグラフィックオーバーレイ要素１３２を過ぎて移動した場合には第２のグラフィックオーバーレイ要素１３２に配置される。代案として、ナビゲーション速度参照マーカ１４４の第２の端部は、表示画面１０６の画像表示部１２６の任意の（すなわち、第２のグラフィックオーバーレイ要素１３２を過ぎた）場所に配置可能であってもよい。
【００５２】
複数の異なるナビゲーションモードのいずれかによる表示画面１０６上に示された地図のナビゲーションを、ユーザが表示画面１０６から指を離すことによって中止させることができる。さらに、ユーザは、表示画面１０６上で指を表示画面１０６の所定部分および第１のグラフィックオーバーレイ要素１３０に対して連続的に移動させることによって、ナビゲーション方向およびナビゲーション速度を調節することができる。
【００５３】
本明細書において説明されるとおり、２本以上の指が表示画面１０６の所定部分に触れることを、２本以上の指が表示画面１０６に同時またはほぼ同時（例えば、実質的に同時）に触れたこととして検出することができる。さらに、表示画面１０６の所定部分から遠ざかる２本以上の指の移動を、表示画面１０６の所定部分から遠ざかる同じ方向の（例えば、ピンチ動作と対照的な）２本以上の指の同時移動として検出することができる。表示システム１０２の便利さを向上させるために、指のうちの少なくとも１本が表示画面１０６の所定部分にあれば（すなわち、１本以上の他の指が表示画面１０６の所定部分の外側にあっても）、２本以上の指が表示画面１０６の所定部分に触れたこととして検出する（あるいは、みなす）ことができる。
【００５４】
本明細書に記載の表示システム１０２は、表示画面１０６上に示された地図のナビゲーションを、ユーザが表示画面１０６の所定部分に触れることによって開始させることで、地図（または、画像）のナビゲーション操作を簡単にすることができる。特に、ユーザが、表示画面１０６上に示された地図のどの部分に触れればよいかを判断する必要がなく、各々のナビゲーション操作において表示画面１０６上の同じ場所に触れればよい。これは、ユーザがより迅速なやり方で表示画面１０６上に示された地図をナビゲートすることを可能にし、意図せぬナビゲーション（すなわち、表示画面１０６上に示された地図をナビゲートする意志がないのにユーザの指が表示画面１０６に触れてしまう場合）の発生を防止または減らすことができる。この点に関し、表示画面１０６の所定部分を、ユーザがさらに容易に表示画面１０６の所定部分を識別できるように、表示画面１０６の中央に配置することができる。
【００５５】
さらに、ユーザが表示画面１０６上に示された地図のナビゲートを表示画面１０６の所定部分に関連して行うようにすることで、表示システム１０２がもたらすタッチ検出機構を簡略化することが可能である。この点に関し、表示システム１０２は、ユーザの指の細かい動き（例えば、お互いに対する移動）を検出するのではなく、むしろ、表示画面１０６の所定部分を指の移動の原点として使用して検出される最終的な指の位置（移動後）にもとづいて、ナビゲーション操作の特徴を判断することができる。したがって、表示システム１０２のタッチスクリーンユーザインターフェース関連の構成要素を簡略化でき、結果として表示システム１０２を低いコストで製作することが可能になる。
【００５６】
グラフィックオーバーレイ１２８は、（例えば、第１のグラフィックオーバーレイ要素１３０を使用して）表示画面１０６の所定部分の位置をユーザに知らせる。さらに、グラフィックオーバーレイは、ナビゲーション指示を提供するときに、とりわけナビゲーション速度に関して、尺度の感覚をユーザにもたらすことができる。換言すると、ユーザに、高速または最大のナビゲーション速度の大まかな位置を、グラフィックオーバーレイの外側境界（例えば、第２のグラフィックオーバーレイ要素１３２）にあると知らせることができる。ユーザは、この情報を使用して、地図をナビゲートするときにナビゲーションを所望のナビゲーション速度になるように良好に制御するために、表示画面１０６に触れた指の移動を調節することができる。
【００５７】
同様に、ナビゲーション速度参照マーカ１４４は、指示されたナビゲーション速度を判断するための単純な機構をユーザに提供することができる。特に、ナビゲーション速度参照マーカ１４４が大きくなるにつれてナビゲーション速度が大きくなることを、ユーザが容易に理解することができる。したがって、ユーザがナビゲーション速度の制御に関して表示システム１０２を良好に制御できるために、指示されているナビゲーション速度をユーザに知らせる視覚的な手掛かりが（表示画面１０６上に示された地図において生じているナビゲーションに加えて）ユーザに提供される。
【００５８】
上記開示のさまざまな特徴および機能、ならびに他のさまざまな特徴および機能、もしくはそれらの代案または変種を、多数の他の種々のシステムまたは用途へと望ましく組み合わせることができることは理解されたい。また、それらにおける現時点においては予測または予期されないさまざまな代案、変更、変種、または改善が、後に当業者によって行われる可能性があり、それらも特許請求の範囲に包含される。
【図１】
2014182808.tif 000003
【図２】
2014182808.tif 000004
【図３】
2014182808.tif 000005
【図４】
2014182808.tif 000006
【図５】
2014182808.tif 000007
【外国語明細書】
2014182808.tif 000008
2014182808.tif 000009
2014182808.tif 000010
2014182808.tif 000011
2014182808.tif 000012
2014182808.tif 000013
2014182808.tif 000014
2014182808.tif 000015
2014182808.tif 000016
2014182808.tif 000017
2014182808.tif 000018
2014182808.tif 000019
2014182808.tif 000020
2014182808.tif 000021
2014182808.tif 000022
2014182808.tif 000023
2014182808.tif 000024
2014182808.tif 000025
2014182808.tif 000026
2014182808.tif 000027
2014182808.tif 000028
2014182808.tif 000029
2014182808.tif 000030
2014182808.tif 000031
2014182808.tif 000032
2014182808.tif 000033
2014182808.tif 000034
2014182808.tif 000035
2014182808.tif 000036
2014182808.tif 000037
2014182808.tif 000038
【図１】
2014182808.tif 000039
【図２】
2014182808.tif 000040
【図３】
2014182808.tif 000041
【図４】
2014182808.tif 000042
【図５】
2014182808.tif 000043